【手続補正書】
【提出日】平成22年1月15日(2010.1.15)
【手続補正１】
【補正対象書類名】特許請求の範囲
【補正対象項目名】全文
【補正方法】変更
【補正の内容】
【特許請求の範囲】
【請求項１】
アナログ入力をデジタル入力に変換する時間インターリーブ型アナログ／デジタルコンバータを動作させる方法であって、
前記時間インターリーブ型アナログ／デジタルコンバータは、Ｍ個のサブＡＤＣ（サブアナログ／デジタルコンバータ）（ＡＤＣ1、ＡＤＣ2、．．．、ＡＤＣM）のアレイを有しており、ここで、Ｍは、偶数であり、且つ、前記アレイの各々の列は、前記Ｍ個のサブＡＤＣの中の１つのサブＡＤＣを有しており、前記方法は、
全てのサンプリングインスタンスｎについて、前記アレイの列ｋ（ｎ）内の前記サブＡＤＣにより、前記アナログ入力を変換する段階を有しており、ここで、ｎは、一連の整数の中の１つの整数であり、且つ、１≦ｋ（ｎ）≦Ｍであり、第１サンプリングインスタンスについて、１とＭとの間の値がｋ（ｎ）に割り当てられており、更に、ａ）ｋ（ｎ）≦Ｍ／２の場合には、ｋ（ｎ＋１）＞Ｍ／２であり、それ以外の場合には、ｋ（ｎ＋１）≦Ｍ／２であり、且つ、ｂ）Ｍ／２−１≦｜ｋ（ｎ＋１）−ｋ（ｎ）｜≦Ｍ／２＋１であり、且つ、ｃ）ｎ−ｍがＭの整数倍である場合にのみ、ｋ（ｎ＋１）＝ｋ（ｍ＋１）となるように、ｋ（ｎ＋１）が選択されることを特徴とする方法。
【請求項２】
ｋ（ｎ）＜Ｍ／２であり、且つ、ｋ（ｎ）が奇数である場合には、ｋ（ｎ＋１）は、ｋ（ｎ＋１）＝ｋ（ｎ）＋Ｍ／２＋１に従って選択され（１０８）、又は、ｋ（ｎ）＝Ｍ／２であり、且つ、ｋ（ｎ）が奇数である場合には、ｋ（ｎ＋１）は、ｋ（ｎ＋１）＝Ｍに従って選択され（１０９）、又は、ｋ（ｎ）≦Ｍ／２であり、且つ、ｋ（ｎ）が偶数である場合には、ｋ（ｎ＋１）は、ｋ（ｎ＋１）＝ｋ（ｎ）＋Ｍ／２−１に従って選択され（１１０）、又は、ｋ（ｎ）＝Ｍ／２＋１である場合には、ｋ（ｎ＋１）は、ｋ（ｎ＋１）＝１に従って選択され（１１１）、又は、ｋ（ｎ）＞Ｍ／２＋１であり、且つ、ｋ（ｎ）−Ｍ／２が奇数である場合には、ｋ（ｎ＋１）は、ｋ（ｎ＋１）＝ｋ（ｎ）−Ｍ／２−１に従って選択され（１１２）、又は、ｋ（ｎ）＝Ｍであり、且つ、ｋ（ｎ）−Ｍ／２が偶数である場合には、ｋ（ｎ＋１）は、ｋ（ｎ＋１）＝Ｍ／２に従って選択され（１１３）、又は、Ｍ／２＋１＜ｋ（ｎ）＜Ｍであり、且つ、ｋ（ｎ）−Ｍ／２が偶数である場合には、ｋ（ｎ＋１）は、ｋ（ｎ＋１）＝ｋ（ｎ）−Ｍ／２＋１に従って選択される（１１４）請求項１記載の方法。
【請求項３】
Ｍ／２が奇数である場合、ｋ（ｎ）＝１である場合には、ｋ（ｎ＋１）は、ｋ（ｎ＋１）がＭ／２＋１に設定されるように選択され（２０７）、又は、ｋ（ｎ）≦Ｍ／２であり、ｋ（ｎ）≠１であり、且つ、ｋ（ｎ）が奇数である場合には、ｋ（ｎ＋１）は、ｋ（ｎ＋１）がｋ（ｎ）＋Ｍ／２−１に設定されるように選択され（２０８）、又は、ｋ（ｎ）≦Ｍ／２であり、且つ、ｋ（ｎ）が偶数である場合には、ｋ（ｎ＋１）は、ｋ（ｎ＋１）がｋ（ｎ）＋Ｍ／２＋１に設定されるように選択され（２０９）、又は、ｋ（ｎ）＝Ｍである場合には、ｋ（ｎ＋１）は、ｋ（ｎ＋１）がＭ／２に設定されるように選択され（２１０）、又は、Ｍ／２＜ｋ（ｎ）＜Ｍであり、且つ、ｋ（ｎ）が奇数である場合には、ｋ（ｎ＋１）は、ｋ（ｎ＋１）がｋ（ｎ）−Ｍ／２−１に設定されるように選択され（２１１）、又は、Ｍ／２＜ｋ（ｎ）＜Ｍであり、且つ、ｋ（ｎ）が偶数である場合には、ｋ（ｎ＋１）は、ｋ（ｎ＋１）がｋ（ｎ）−Ｍ／２＋１に設定されるように選択される（２１２）請求項１記載の方法。
【請求項４】
コンピュータ機能を有する電子装置によってコンピュータプログラムコード手段が実行される際に、請求項１から３のいずれか一項に記載の方法を実行する前記コンピュータプログラムコード手段を有するコンピュータプログラム。
【請求項５】
コンピュータ機能を有する電子装置によってコンピュータプログラムコード手段が実行される際に、請求項１から３のいずれか一項に記載の方法を実行する前記コンピュータプログラムコード手段を有するコンピュータプログラムをその内部に保存しているコンピュータ読み取り可能な媒体。
【請求項６】
Ｍ個のサブＡＤＣ（ＡＤＣ1、．．．、ＡＤＣM）のアレイ（２０）を有する時間インターリーブ型アナログ／デジタルコンバータ（１）であって、ここで、Ｍは、偶数であり、この場合に、前記アレイの各々の列は、前記Ｍ個のＡＤＣ（ＡＤＣ1、．．．、ＡＤＣM）の中の１つのサブＡＤＣを有している時間インターリーブ型アナログ／デジタルコンバータにおいて、前記時間インターリーブ型アナログ／デジタルコンバータは、
全てのサンプリングインスタンスｎについて、アナログ入力をデジタル出力に変換するために使用される前記アレイ（２０）の列ｋ（ｎ）内の前記サブＡＤＣを選択するべく構成された制御ユニット（１０）を有しており、ここで、ｎは、一連の整数の中の１つ整数であり、且つ、１≦ｋ（ｎ）≦Ｍであり、この場合に、前記制御ユニットは、第１サンプリングインスタンスについて、１とＭとの間の値をｋ（ｎ）に割り当てると共に、ｋ（ｎ）の所定の値について、ａ）ｋ（ｎ）≦Ｍ／２の場合には、ｋ（ｎ＋１）＞Ｍ／２であり、それ以外の場合には、ｋ（ｎ＋１）≦Ｍ／２であり、且つ、ｂ）Ｍ／２−１≦｜ｋ（ｎ＋１）−ｋ（ｎ）｜≦Ｍ／２＋１であり、且つ、ｃ）ｎ−ｍがＭの整数倍である場合にのみ、ｋ（ｎ＋１）＝ｋ（ｍ＋１）となるように、ｋ（ｎ＋１）を選択するように構成されていることを特徴とする時間インターリーブ型アナログ／デジタルコンバータ。
【請求項７】
前記制御ユニット（１０）は、ｋ（ｎ）＜Ｍ／２であり、且つ、ｋ（ｎ）が奇数である場合には、ｋ（ｎ＋１）がｋ（ｎ）＋Ｍ／２＋１に設定されるように、ｋ（ｎ＋１）を選択し、又は、ｋ（ｎ）＝Ｍ／２であり、且つ、ｋ（ｎ）が奇数である場合には、ｋ（ｎ＋１）がＭに設定されるように、ｋ（ｎ＋１）を選択し、又は、ｋ（ｎ）≦Ｍ／２であり、且つ、ｋ（ｎ）が偶数である場合には、ｋ（ｎ＋１）がｋ（ｎ）＋Ｍ／２−１に設定されるように、ｋ（ｎ＋１）を選択し、又は、ｋ（ｎ）＝Ｍ／２＋１である場合には、ｋ（ｎ＋１）が１に設定されるように、ｋ（ｎ＋１）を選択し、又は、ｋ（ｎ）＞Ｍ／２＋１であり、且つ、ｋ（ｎ）−Ｍ／２が奇数である場合には、ｋ（ｎ＋１）がｋ（ｎ）−Ｍ／２−１に設定されるように、ｋ（ｎ＋１）を選択し、又は、ｋ（ｎ）＝Ｍであり、且つ、ｋ（ｎ）−Ｍ／２が偶数である場合には、ｋ（ｎ＋１）がＭ／２に設定されるように、ｋ（ｎ＋１）を選択し、又は、Ｍ／２＋１＜ｋ（ｎ）＜Ｍであり、且つ、ｋ（ｎ）−Ｍ／２が偶数である場合には、ｋ（ｎ＋１）がｋ（ｎ）−Ｍ／２＋１に設定されるように、ｋ（ｎ＋１）を選択するように構成されている請求項６記載の時間インターリーブ型アナログ／デジタルコンバータ。
【請求項８】
Ｍ／２が奇数である場合、前記制御ユニット（１０）は、ｋ（ｎ）＝１である場合には、ｋ（ｎ＋１）がＭ／２＋１に設定されるように、ｋ（ｎ＋１）を選択し、又は、ｋ（ｎ）≦Ｍ／２であり、ｋ（ｎ）≠１であり、且つ、ｋ（ｎ）が奇数である場合には、ｋ（ｎ＋１）がｋ（ｎ）＋Ｍ／２−１に設定されるように、ｋ（ｎ＋１）を選択し、又は、ｋ（ｎ）≦Ｍ／２であり、且つ、ｋ（ｎ）が偶数である場合には、ｋ（ｎ＋１）がｋ（ｎ）＋Ｍ／２＋１に設定されるように、ｋ（ｎ＋１）を選択し、又は、ｋ（ｎ）＝Ｍである場合には、ｋ（ｎ＋１）がＭ／２に設定されるように、ｋ（ｎ＋１）を選択し、又は、Ｍ／２＜ｋ（ｎ）＜Ｍであり、且つ、ｋ（ｎ）が奇数である場合には、ｋ（ｎ＋１）がｋ（ｎ）−Ｍ／２−１に設定されるように、ｋ（ｎ＋１）を選択し、又は、Ｍ／２＜ｋ（ｎ）＜Ｍであり、且つ、ｋ（ｎ）が偶数である場合には、ｋ（ｎ＋１）がｋ（ｎ）−Ｍ／２＋１に設定されるように、ｋ（ｎ＋１）を選択するように構成されている請求項６記載の時間インターリーブ型アナログ／デジタルコンバータ。
【請求項９】
前記制御ユニット（１０）は、多相クロックユニット（１１）の複数のクロック端子（Ｃ1、．．．、ＣM）の各々において個別のクロック信号を生成するべく構成された前記多相クロックユニット（１１）を有しており、この場合に、前記複数のクロック端子（Ｃ1、．．．、ＣM）の各々は、前記サブＡＤＣ（ＡＤＣ1、．．．、ＡＤＣM）の中の１つのサブＡＤＣに接続されている請求項７又は８記載の時間インターリーブ型アナログ／デジタルコンバータ。
【請求項１０】
前記多相クロックユニット（１１）は、遅延ロックループを有する請求項９記載の時間インターリーブ型アナログ／デジタルコンバータ。
【請求項１１】
前記多相クロックユニット（１１）は、リング状に接続された複数の遅延要素（Ｄ1、．．．、ＤM）を有する請求項９記載の時間インターリーブ型アナログ／デジタルコンバータ。
【請求項１２】
請求項６から１１のいずれか一項に記載の時間インターリーブ型アナログ／デジタルコンバータを有する集積回路。
【請求項１３】
請求項６から１１のいずれか一項に記載の時間インターリーブ型アナログ／デジタルコンバータを有する電子装置。
【請求項１４】
前記電子装置は、モニタ、プロジェクタ、テレビ受像機、又は無線トランシーバである請求項１３記載の電子装置。
【手続補正２】
【補正対象書類名】明細書
【補正対象項目名】０００９
【補正方法】変更
【補正の内容】
【０００９】
本発明の第２の態様によれば、コンピュータプログラムは、コンピュータ機能を有する電子装置によってコンピュータプログラムコード手段が実行される際に、前述の方法を実行するコンピュータプログラムコード手段を備えている。
【手続補正３】
【補正対象書類名】明細書
【補正対象項目名】００１０
【補正方法】変更
【補正の内容】
【００１０】
本発明の第３の態様によれば、コンピュータ読み取り可能な媒体は、コンピュータ機能を有する電子装置によってコンピュータプログラムコード手段が実行される際に、前述の方法を実行するコンピュータプログラムコード手段を備えるコンピュータプログラムをその内部に保存している。